Podtech/llm-jp-corpus-v4-ja_patent huggingface dataset:
(57)【要約】      （修正有）【課題】腹背上下より同時に指圧可能な腹背指圧具を提供する。【解決手段】端部を蝶番を介して折りたたみ可能に接続した一対の第１と第２の台板４等と、前記第１の台板に刻設された腹部用指圧棒を収納する腹部用指圧棒収納溝７と、前記第２の台板には背中用指圧棒６を着脱可能に取り付ける背中用指圧棒取付部とを具備してなることを特徴とする腹背指圧具で仰臥状態の楽な姿勢で腰から背中全面を背中用指圧具１を移動させ、自分の体重をかけながら指圧し、かつ又上部からは腹部や胸部を腹部用指圧棒で指圧することにより、大きな指圧効果が得られ疲労を除去する。【選択図】図２
0003147494.tif 000002
【実用新案登録請求の範囲】
【請求項１】
端部を蝶番を介して折りたたみ可能に接続した一対の第１と第２の台板と、前記第１の台板に刻設され腹部用指圧棒を収納する腹部用指圧棒収納溝と、前記第２の台板には背中用指圧棒を着脱可能に取り付ける背中用指圧棒取り付部とを具備してなることを特徴とする腹背指圧具。
【考案の詳細な説明】
【技術分野】
【０００１】本考案は台板の先端近くに一本の指圧棒を設けて背中を指圧し、他の腹部用指圧具にて腹部を指圧する腹背指圧具に関するものである。
【背景技術】
【０００２】従来、２連の指圧棒付きや４連の指圧棒付きの指圧機があった。
【考案の開示】
【考案が解決しようとする課題】
【０００３】そのために、次のような問題点があった。
（イ）仰臥状態で背中の下に入れ、自分の体重で指圧するのであるが、２連や４連では        一つのポイントを集中的に指圧することができない。
（ロ）背中の下に入れているので手がにとどきにくく指圧したい位置を容易に変える事        が困難である。
【課題を解決するための手段】
【０００４】端部を蝶番を介して折りたたみ可能に接続した一対の第１と第２の台板と、前記第１の台板に刻設された腹部用指圧棒を収納する腹部用指圧棒収納溝と前記第２の台板には背中用指圧棒を着脱可能に取り付ける背中用指圧棒取付部とを具備してなることを特徴とする腹背指圧具。
【考案の効果】
【０００５】仰臥状態の楽な姿勢で腰から背中前面を指圧機を移動させ、自分の体重をかけながら指圧し、かつ又上部からは腹部や胸部を腹部用指圧具で指圧する事により、大きな指圧効果が得られ疲労を除去することができた。
【考案を実施するための最良の形態】
【０００６】  以下、本考案の実施の形態について図１から図５を参照して以下説明する。
（イ）背中用指圧具（１）は第１の台板（３）と第２の台板（４）を蝶番（５）で接続        し、第２の台板（４）の先端近くに背中用指圧棒（６）を設けた。
（ロ）更に腹部用指圧棒（２）を設け、一方に握り手（９）を設ける、他方は丸型とし        て指圧面を柔軟にタッチできるようにした。
（ハ）第１の台板（３）の中央部には、ほぼ腹部用指圧棒（２）の形に腹部用指圧棒収        納溝（７）を設け、折りたたんで収納する場合は当該収納溝（７）に嵌合させて        、固定することができるため収納容積が小さくて済み、バッグ等に入れ携帯にも        便利である。
（ニ）背中用指圧具（１）は背中用指圧棒（６）を一本にしたため、指圧したいポイン        トを的確に指圧することができた。
（ホ）背中用指圧具（１）は一対の台板（３）（４）を接続しているため、操作する柄        の部分が長くなり第２の台板（４）の先端近くに設けられた背中用指圧棒（６）        を指圧ポイントへ容易に移動させることが可能になった。
（ヘ）背中用指圧具（１）の背中用指圧棒（６）の長さの感触は、個人によって異なり        又使い始めと使い慣れてきた場合とで違うので、別に長さの異なる背中用指圧棒        （６）を複数付帯した、当該背中用指圧棒の取り付けはネジ締めとなっているの        で、取り付け取り外しが簡単にでき、従って個人に適合した長さの指圧棒を任意        に使用することが可能になった。
【図面の簡単な説明】
【０００７】
【図１】  本考案の伸長した場合の斜視図
【図２】  本考案の折り畳んで腹部用指圧機を格納した場合の斜視図
【図３】  本考案の調整用指圧棒セットの斜視図
【図４】  使用中の斜視図
【図５】  背中用指圧機を移動する場合の斜視図
【符号の説明】
【０００８】    １  背中用指圧具
２  腹部用指圧具
３  第１の台板
４  第２の台板
５  蝶番
６  背中用指圧棒
７  腹部用指圧棒収納溝
８  調整用指圧棒セット
９  腹部用指圧棒握り手
【図１】
0003147494.tif 000003
【図２】
0003147494.tif 000004
【図３】
0003147494.tif 000005
【図４】
0003147494.tif 000006
【図５】
0003147494.tif 000007
(57)【要約】      （修正有）【課題】風に当たっても消えにくく、気温が高い夏季でも曲がることなく安定して燃焼するローソクを提供する。【解決手段】ローソクの下部１より細い竹籤２をローソク芯３に沿わせて挿入し夏の暑さにもローソク本体４が曲がることなく使用できるようにしたものである。そのことにより、夏の暑い日に墓参りでローソクを使用しても暑さで曲がることなく、周囲を汚したり燃え移ることもなく、安全、安心して使用できる便利なローソクとなる。【選択図】図１
0003147493.tif 000002
【実用新案登録請求の範囲】
【請求項１】
ローソクを製造する場合、ローソクの綿糸に添わせて、竹籤を一緒に入れてロー材で固めたことを特徴とするローソク。
【考案の詳細な説明】
【技術分野】
【０００１】    本考案は、夏の暑さに曲がらないローソクに関するものである。
【背景技術】
【０００２】  ローソクは、神事、仏事、パーティーなどでその場の雰囲気を盛り上げるために利用されている。【０００３】  ローソクは、一部の特殊な形状のものをのぞけば、燭心の周りをパラフィン、ステアリンなどのロー材でかためた棒状のものが一般的である。ローソクは、盆の時期、帰省墓参に行き、墓前にローソクを手向けると、気温が高いため、数分するとローソクがやわらかくなって曲がり、すぐに消えてしまうという欠点を有していた。
【考案の開示】
【考案が解決しようとする課題】
【０００４】  そこで、本考案は、従来のローソクに比べて、風に当たっても消えにくく、気温が高い夏季でも、曲がることなく、安定して燃焼するローソクを課題とした。
【考案を解決するための手段】
【０００５】  ローソクを製造する際にローソクの下部の穴より細く削った竹籤を挿入することを特徴とする。
【考案の効果】
【０００６】  本考案のローソクは、ローソク本体の下部より竹籤を挿入するため、風に当たっても消えにくく、気温が高い夏季でも、曲がることなく、安定して燃焼する。
【０００７】  さらに、本考案のローソクは、竹籤をローソクの中に挿入しているため、炎が燃焼するに従って竹籤も燃えていくため、竹籤の灰が残ることなく燃焼します。
【０００８】  また、仮に、鉄芯などの金属芯を挿入すれば、熱伝導によって、かえってロウが溶解したり金属芯が残る場合がある。
【考案を実施するための最良の形態】
【０００９】  ローソク本体４には、通常のローソクと同様に綿糸、灯心などのローソク芯３の周りをロー材４でかためて棒状に形成されている。ロー材４には、通常のローソクに使用されているパラフィン、ステアリンなどのロー材を使用する。【００１０】  図１に示すように、ローソク本体４に、ローソクの下部より、ローソクの中心に竹籤２を挿入する。
【図面の簡単な説明】
【００１１】
【図１】本考案のローソクの断面図
【図２】本考案のローソクの底面図
【符号の説明】
【００１２】  １．ローソク穴
２．竹籤
３．ローソク芯（燭心）
４．ローソク本体（ロー材）
【図１】
0003147493.tif 000003
【図２】
0003147493.tif 000004
(57)【要約】      （修正有） 【課題】要介護者が着替えを行う場合に、身体への負担が少なく迅速に行え、しかも着心地のよい、シンプルな形の衣服を提供する。【解決手段】胸から上の前身頃は着物のように左上に重ね、胸から下の前身頃は通常のシャツのような形状であり、上下の前身頃を胸の部分で接合した胴部を持つ衣服を用いる。上前身頃を重ねる形のため首繰りが通常のシャツよりも大きく開くので、着脱を手助けしてもらう場合に介護者・要介護者の負担を低減することができる。【選択図】図１
0003147497.tif 000002
【実用新案登録請求の範囲】
【請求項１】
胸から上の前身頃は着物のように左上に重ね、胸から下の前身頃は通常のシャツのような形状であり、上下の前身頃を胸の部分で接合した胴部を持つ衣服。
【考案の詳細な説明】
【技術分野】
【０００１】
本発明は、通常の衣服よりも着脱が容易な衣服に関するものである。高齢者、身体障害者、寝たきりの患者等、通常の着替えが出来ず他人の介護を必要とする要介護者に対し、介護者が着替えを容易に行うことができるので介護服としての使用が可能な衣服に関するものである。
【背景技術】
【０００２】
高齢者、身体障害者、寝たきりの患者等の介護を必要とする要介護者は、腕を伸ばしたり曲げたりする動作を自らの意思の通りに自由に行うことができないため、衣服の着替えの際に介護者の助けを必要とする場合があるが、この場合、要介護者は不自由な腕を動かすこととなり、苦痛を伴ったり、労力を必要とするものであった。そこで、苦痛、労力を伴うことなく着替えを容易に行うことのできる介護衣服として多くの発明が提案されている。
【０００３】
しかし、それらは形状が複雑なものも少なくない。
【考案の開示】
【考案が解決しようとする課題】
【０００４】
そこで、本発明は、要介護者が着替えを行う場合に、身体への負担が少なく迅速に行え、しかも着心地のよい、シンプルな形の衣服を提供することを課題とする。
【課題を解決するための手段】
【０００５】
この課題を解決するための本発明は、胸から上の前身頃は着物のように左上に重ね、胸から下の前身頃は通常のシャツのような形状であり、上下の前身頃を胸の部分で接合した胴部を持つことを特徴とする。
【考案の効果】
【０００６】
請求項１に記載の発明によれば、上前身頃を重ねる形のため首繰りが通常のシャツよりも大きく開くので、着脱を手助けしてもらう場合に介護者・要介護者の負担を低減することができる。
【考案を実施するための最良の形態】
【０００７】
肌触りの良い綿素材や、伸縮性の高いニット生地を用いることで、着心地の良い衣服を提供できる。
【０００８】
伸縮性の高いニット生地を用いた場合、上前身頃を重ねる形であるため、さらに首ぐりが大きく開くので上から衣服をかぶる場合も着用が容易であるが、さらに腕の上がりにくい着用者に対しては、衣服を腰から引き上げつつ腕を通し肩まで着用させることもでき、負担が少ない。
【０００９】
後ろ身頃には生地の継ぎ目がないので、床ずれが起きにくい。
【００１０】
裏返しても上身頃の左前の状態が保たれ表と裏の形状が同じであることから、縫製方法を工夫することでリバーシブル着用も可能であり、裏表を意識せず扱うことができるため衣服の管理が容易である。
【００１１】
体温計等の医療器具の装着が容易な形状である。
【００１２】
以下、本発明を具体化した実施形態を図に基づいて詳細に説明する。
【実施例】
【００１３】
図１から図３は本発明の衣服を示すものであり、上前身ごろは着物に似た２枚の布で構成され、左上に重ねた状態で、図２のようにa-a’、b-b’、c-c’を合わせて縫製する。なおaは前身ごろの胸切り替え線上の左上身頃とのあわせ位置である。a’は前身ごろ胸切り替え線上のあわせ位置に対応する左上身頃のポイントである。
【図面の簡単な説明】
【００１４】
【図１】本発明の衣服の正面図である。
【図２】上前身ごろの片側を展開した図である。
【図３】本発明の衣服の後ろからの図である。
【符号の説明】
【００１５】
a  前身ごろの胸切り替え線上の左上身頃とのあわせ位置
a’  前身ごろ胸切り替え線上のあわせ位置に対応する左上身頃のポイント
【図１】
0003147497.tif 000003
【図２】
0003147497.tif 000004
【図３】
0003147497.tif 000005
(57)【要約】      （修正有）【課題】要介護者が着替えを行う場合に、身体への負担が少なく迅速に行え、しかも着心地のよい、シンプルな形の衣服を提供する。【解決手段】片方の肩部から反対側の脇にかけて斜めにあいた首袖ぐりを有した身頃とそれにつながる１つの袖を有したパーツを、左右組み合わせて着用する。布帛素材や伸縮性の低い生地を用いた場合、袖を有しない側の脇部に開閉部を設け、ひもや面ファスナー等の開閉具で接合することもできる。【選択図】図１
0003147496.tif 000002
【実用新案登録請求の範囲】
【請求項１】
片方の肩部から反対側の脇にかけて斜めにあいた首袖ぐりを有した身頃とそれにつながる１つの袖を有したパーツを、左右２枚組み合わせて着用する衣服。
【考案の詳細な説明】
【技術分野】
【０００１】
本発明は、通常の衣服よりも着脱が容易な衣服に関するものである。高齢者、身体障害者、寝たきりの患者等、通常の着替えが出来ず他人の介護を必要とする要介護者に対し、介護者が着替えを容易に行うことができるので介護服としての使用が可能な衣服に関するものである。
【背景技術】
【０００２】
高齢者、身体障害者、寝たきりの患者等の介護を必要とする要介護者は、腕を伸ばしたり曲げたりする動作を自らの意思の通りに自由に行うことができないため、衣服の着替えの際に介護者の助けを必要とする場合があるが、この場合、要介護者は不自由な腕を動かすこととなり、苦痛を伴ったり、労力を必要とするものであった。そこで、苦痛、労力を伴うことなく着替えを容易に行うことのできる介護衣服として多くの発明が提案されている。
【０００３】
しかし、それらは形状が複雑なものも少なくない。
【考案の開示】
【考案が解決しようとする課題】
【０００４】
そこで、本発明は、要介護者が着替えを行う場合に、身体への負担が少なく迅速に行え、しかも着心地のよい、シンプルな形の衣服を提供することを課題とする。
【課題を解決するための手段】
【０００５】
この課題を解決するための本発明は、片方の肩部から反対側の脇にかけてたすき状にあいた首袖ぐりを有した身頃とそれにつながる１つの袖を有したパーツを、左右２枚組み合わせて着用することを特徴とする。
【０００６】
布帛素材や伸縮性の低い生地を用いた場合、袖を有しない側の脇部に開閉部を設け、ひもや面ファスナー等の開閉具で接合する。
【考案の効果】
【０００７】
請求項１に記載の発明によれば、着脱を手助けしてもらう場合に介護者・要介護者の負担を低減することができる。
【考案を実施するための最良の形態】
【０００８】
肌触りの良い綿素材や、伸縮性の高いニット生地を用いることで、着心地の良い衣服を提供できる。
【０００９】
伸縮性の高いニット生地を用いた場合、首袖ぐりが大きく開いているので上から衣服をかぶる場合も着用が容易であるが、さらに腕の上がりにくい着用者に対しては、衣服を腰から引き上げつつ腕を通し肩まで着用させると負担が少ない。
【００１０】
袖のない側の脇に開閉部を有する形の場合、要介護者を寝かせた状態での着脱において、まず横向きに寝かせ衣服の袖を通し、次に反対横向きに体勢をかえて脇の開閉具をとめると着脱が容易である。
【００１１】
形状に前後左右の区別がないので、それぞれのパーツは左右どちらの身頃としても着用できる。また、着用者の身体状況に合わせて片身頃の袖の長さを変えるなどの組み合わせによる用途の幅もある。
【００１２】
縫製方法を工夫することで、リバーシブル着用も可能であるので、一つのパーツの左右、裏表を意識せず扱うことができるため衣服の管理が容易である。
【００１３】
体温計等の医療器具の装着が容易な形状である。
【００１４】
以下、本発明を具体化した実施形態を図に基づいて詳細に説明する。
【実施例】
【００１５】
図１から図４は本発明の衣服を示すものであり、衣服は図２から図４に示す片身頃を図１のように左右組み合わせて着用する。
【図面の簡単な説明】
【００１６】
【図１】本発明の衣服の正面図である。
【図２】片身頃で肩のない側からの図でありその脇に開閉部を有するタイプの図である。
【図３】脇に開閉部を有するタイプの片身頃を展開した図である。
【図４】脇に開閉部を有しないタイプの片身頃を着用した正面図である。
【図１】
0003147496.tif 000003
【図２】
0003147496.tif 000004
【図３】
0003147496.tif 000005
【図４】
0003147496.tif 000006
(57)【要約】      （修正有）【課題】社会や企業、教育機関と家庭が一体となって、子どもたちが楽しみながら、生活習慣や社会ルール習得に利用できる簡便な教材を提供する。【解決手段】季節感のある毎月のデザイン１に、子どもたちの生活習慣や社会ルールの取得を促進するシール貼付用カレンダー欄２、季節ごとの「学び」や「遊び」の情報提供欄３、利用する家庭ごとに自由に記載できる欄で構成し、毎月１枚ずつ配布できるようにひと月分を１枚に印刷して、子ども教育用カレンダーを構成する。  【選択図】図１
0003147491.tif 000002
【実用新案登録請求の範囲】
【請求項１】
季節感のある毎月のデザインに、子どもたちの生活習慣や社会ルールの取得を促進するシール貼付用カレンダー欄、季節ごとの「学び」や「遊び」の情報提供欄、利用する家庭ごとに自由に記載できる欄で構成されていることと、毎月１枚ずつ配布できるようにひと月分を１枚に印刷されたことを特徴とする月別子ども教育用カレンダー
【考案の詳細な説明】
【産業上の利用可能性】
【０００１】  この考案は、幼稚園、保育園、小学校、学習塾などで、３歳から８歳くらいまでの子どもたちを対象としたカレンダー教材として、生活習慣や社会ルールの基本を家庭と一緒に学ぶことができ、社会が一体となって青少年育成に寄与することが出来る。
また、異なるデザインのカレンダーを毎月ごとに提供し、季節ごとの学びや遊びの情報も同時に提供することで、子どもたちの継続的な興味を呼ぶ工夫もしてあり、量販店や各種サービス業の販売促進用ノベルティにも活用できる。
【従来製品】
【０００２】  従来のカレンダーに子どもたちが楽しんで継続的に使用できるものは少なく、また、ひと月分を毎月ごとに提供することで、需要数への柔軟な対応、印刷負荷の軽減による経済性を確保できる。
【考案が解決しようとする課題】
【０００３】  子どもたちに季節に合わせた規則正しい生活習慣や、社会ルールといった家庭での教育的効果が期待できる。それによって、青少年育成の基本的な教材の提供となる。
また、利用者は、季節に合わせた「学び」や「遊び」の情報を取得でき、利用者の生活に合わせた独自の利用方法も可能である。
【課題を解決するための手段】
【０００４】  カレンダーを毎月一枚ずつ配布することで、利用者の継続的な興味をひきつけ、教材として、また、販売促進のためのノベルティとして、一年を通じて、利用者の利用促進を図る。
【考案の効果】
【０００５】  子どもたちが、規則正しい生活習慣や社会ルールを、シールを貼りながら楽しんで、身に付けることができる。
利用者に季節ごとの優良情報を提供しながら、利用者ごとに毎月の行事予定などを確認できる。
【図面の簡単な説明】
【０００６】
【図１】  本考案のカレンダー正面図
【符号の説明】
【０００７】  （１）  季節感あふれるデザイン画
（２）  シール貼付用カレンダー部
（３）  季節ごとの「学び」「遊び」の情報コラム
（４）  利用者ごとに活用できる行事予定欄及び毎月の約束事
【図１】
0003147491.tif 000003
(57)【要約】      （修正有）【課題】簡素な構造、軽量化、低製造コスト、傘使用時のＬＥＤ等発光体の完全自動点灯消灯を実現する傘先端部自動発行装置を提供する。【解決手段】ＬＥＤ等の発光体、傾斜センサースイッチ、小型電池等で構成される極めて簡素な構造とする。また傾斜センサースイッチにより傘使用時、同停止時の傘本体の上下方向のみならず傾斜の変化を感知し傘先端部のＬＥＤ等の発光体を自動点灯、消灯せしめること特徴とする装置である。【選択図】図１
0003147487.tif 000002
【実用新案登録請求の範囲】
【請求項１】
透光性を有する素材で出来た傘先端部分にＬＥＤ等の発光体およびその電池、自動点灯、消灯スイッチ等を内蔵させ、傘使用時にＬＥＤ等の発光体を自動点灯また使用停止時に自動消灯させる装置。
【請求項２】
前記自動点灯消灯装置は、傾斜センサースイッチにより傘使用時の傘本体の上下方向のみならず傾斜の変化を感知し自動点灯消灯を行うことを特徴とする請求項１記載の傘先端部自動発光装置。
【考案の詳細な説明】
【技術分野】
【０００１】本考案は、傘使用時、同使用停止時に傘先端部の自動発光消灯装置に関するものである。
【背景技術】
【０００２】従来の傘先端部の発光装置は装置自体が電子制御回路を含む等  複雑且つ重量が嵩み、製造コストも高いものであった。更に傘使用時の発光体の点灯、消灯が手動であったりまた点灯、消灯動作が傘使用時に不確実であった。
【考案の開示】
【考案が解決しようとする課題】
【０００３】以上の技術による、複雑化、重量化、高製造コスト、使用時の煩雑さを解消し  本考案は簡素な構造、軽量化、低製造コスト、傘使用時のＬＥＤ等発光体の完全自動点灯消灯を実現する装置を提供することを課題とする。
【課題を解決するための手段】
【０００４】以上の課題を解決するために、第一考案は、ＬＥＤ等の発光体、小型電池  及び  傾斜センサースイッチの部品等で構成される簡素な装置を透光性のある素材で出来た傘先端部に内蔵することを特徴とする。
また、第二考案は、傘使用開始、停止時傘本体の角度が大きく変化することに着目し  内蔵する傾斜センサースイッチにより傘使用時、同停止時の傘本体の上下方向のみならず傾斜の変化を感知し傘先端部のＬＥＤ等の発光体を傘使用時に自動点灯、同停止時に自動消灯せしめること特徴とする装置である。
【考案の効果】
【０００５】第一考案、または第二考案によれば、傘を使用開始する際  煩雑な操作なしに傘の先端部が自動発光し同使用停止時に自動消灯する。また  同装置は極めて簡素な構造であるため同装置の追加による重量の増加は軽微である。
【考案を実施するための最良の形態】
【０００６】この発明の一実施形態を、図１に示す。
本体１は透光性を有する素材でできており、この本体１の内部にＬＥＤ等の発光体２、傾斜センサースイッチ３、電池４から構成される電子部品が内蔵されている。
【実施例】
【０００７】この実施形態によれば、雨のみならず、強い日差し、雪、強風等に対して傘を使用するために傘を持ち上げる動作を行うことにより極めて簡易な構造の装置が作動しその傘本体の上下方向だけでなく傾斜の変化を感知することにより傘先端部のＬＥＤ等の発光体が自動点灯し  また  その使用停止時に自動消灯する。
【産業上の利用可能性】
【０００８】図１の実施形態では、傘先端部の部品全体を改良する考案であるが  他の実施形態では  既存の傘の先端部にキャップ上に被せる形状でもよい。
また、図１の実施形態ではＬＥＤ等の発光体は単体であるが複数用いてもよいし、さらに自動点滅方式、自動発光色変化方式のＬＥＤ等の発光体部品を使用してもよい。
【図面の簡単な説明】
【０００９】
【図１】この考案の一実施形態を示す透視図である。
【符号の説明】
【００１０】１  傘先端部本体            ２  ＬＥＤ等発光体
３  傾斜センサースイッチ    ４  電池
【図１】
0003147487.tif 000003
(57)【要約】      （修正有）【課題】紋章の前後部から光を通過させることで立体感と奥行き感を創出することができ、存在感を演出することができる仏具を提供する。【解決の手段】ガラスやアクリルなどを用いた透明仏具表面の紋章取付け部分を、紋章が充分埋め込める程度に凹ませ、且つ、充分な厚みを持たせた紋章の模様以外の部分を貫通口とし、前後からの光が仏具を透して紋章を通過させるようにした。【選択図】図１
0003147485.tif 000002
【実用新案登録請求の範囲】
【請求項１】
ガラスやアクリルなどの透明な材質を用いた仏具に、その前面の表面に紋章が入るに充分な深みと内径を持つ凹み部を設け、当該凹み部に、２ミリメートル以上の充分な厚みを持ち、且つ、模様以外の部分を貫通口とした紋章を嵌め込み、その貫通口を通して外部からの光線を前後から通過させることを特徴とした仏具。
【考案の詳細な説明】
【技術分野】
【０００１】  本考案は、紋章を取付けた仏具に関するものである。
【背景技術】
【０００２】  従来、ガラスやアクリルを用いた透明仏具に取付けられる紋章は、レーザー彫刻か、あるいは厚みのあるものをネジ止めや、接着剤で仏具の平坦な表面に取付けられているものであった。
【考案の開示】
【考案が解決しようする課題】
【０００３】  従来の透明仏具の紋章取付け方法では、厚みのあるものは仏具表面から突き出してしまい、仏具との一体感が損なわれ、レーザー彫刻の場合は着色ができないため、紋章の存在感が著しく損なわれていた。
【課題を解決するための手段】
【０００４】  当該透明仏具表面の紋章取付け部分を、紋章が充分埋め込める程度に凹ませ、且つ、２ミリメートル以上の充分な厚みを持たせた紋章の模様以外の部分を貫通口とし、前後からの光が仏具を透して通過させるようにした。
【考案の効果】
【０００５】  本考案は、厚みを持った紋章の前後部から光を通過させることで、視覚上、質量のある紋章が浮かび上がっているよう見え、立体感と奥行き感、存在感を演出することができる。
【考案を実施するための最良の形態】
【０００６】  ガラスやアクリルなどの透明な材質を用いた仏具に、その前面の表面に紋章が入るに充分な深みと内径を持つ凹み部を設け、当該凹み部に、２ミリメートル以上の充分な厚みを持ち、且つ、模様以外の部分を貫通口とした紋章を嵌め込み、その貫通口を通して外部からの光線を前後から通過させることで、紋章とその取付け部分の立体感と奥行き感を創出し、荘厳さを演出した仏具。
【実施例】
【０００７】  以下、本考案の実施例を、図１から図２を参照して説明する。図１は紋章３が仏具本体１の凹み部２に取付けられた状態を示している。図２は、紋章の貫通口４を示した断面図である。
【図面の簡単な説明】
【０００８】
【図１】  紋章が取り付けられた仏具正面図である。
【図２】  紋章の斜視断面図である。
【符号の説明】
【０００９】１  仏具本体
２  凹み部
３  紋章
４  貫通口
【図１】
0003147485.tif 000003
【図２】
0003147485.tif 000004
(57)【要約】【課題】  肩を覆って冷えや日光の直射を防止すると共に、着用したままで動いても肩から外れたりずり落ちたりすることがなく、日常屋内外において簡便に羽織ることのできる肩掛け衣服を提供することを目的とする。  【解決手段】  長方形の布帛1に、その長手方向の両端の内側に鍵ホック凹2と鍵ホック凸3を縫着し、その鍵ホック2,3を係合してできる袖部に両腕を通すことにより、肩掛け部が肩を覆い、冷房風や日射による直射を防止することができる携帯用冷房風防護衣服を提供する。【選択図】  図１
0003147480.tif 000002
【実用新案登録請求の範囲】
【請求項１】
本考案は、長方形の布帛のその長手方向の両端の内側に鍵ホック凹と鍵ホック凸を
各々2個づつ縫着することを特徴とする冷房風防護衣服。
【請求項２】
鍵ホック凹と鍵ホック凸を係合することにより、両端が筒状になる。この筒状に腕を
挿入することによって袖部を形成することを特徴とする請求項1の冷房風防護衣服。
【請求項３】
また、本考案を二つ折にして、首に巻き、マフラーとしても使用可能であることを特徴とする請求項1又は請求項2の冷房風防護衣服。
【考案の詳細な説明】
【技術分野】
【０００１】
本考案は、肩掛け衣服に関するものであって、特に夏季や冬季であっても冷房の効いた電車やバスの室内などにおいて肩が冷えるのを防止したり、また肩に日光の直射を受けることを防止するために、携帯が可能で、簡便に羽織ることのできる衣服に関するものである。
【背景技術】
【０００２】
従来、この種の、特に肩を保温したり日光の直射を防止するために羽織る衣服としては、特開平６−１５８４０５号公報や、特開平７−２１６６０６号公報、特願２００３−３４６５７９に示されたものが知られている。
【０００３】
特開平６−１５８４０５号公報に示されたものは、首を跨いでその両側で単純に肩にかけるものであり、これを着用してじっとしているときには良いが、動き廻ったときにはずれたりずり落ちたりする可能性がある。
【０００４】
また特開平７−２１６６０６号公報のものは、両肩の肩掛け部の間にバンド部材を設
け、当該バンド部材を首に巻き付けることにより保持しているが、この構造においても動きによっては肩に掛けた肩掛け部が肩から外れる可能性があり、着用した状態での動きが制約される。
【０００５】
さらに特開２００５−１１３２８９号公報のものは、大きくて携帯には不向きであった。
【特許文献１】特開平６−１５８４０５号公報
【特許文献１】特開平７−２１６６０６号公報
【特許文献１】特開２００５−１１３２８９号公報
【考案の開示】
【考案が解決しようとする課題】
【０００６】
本考案はかかる事情に鑑みなされたものであって、肩を覆って冷えや日光の直射を防
止すると共に、着用したままで動いても肩から外れたりずり落ちたりすることがなく、電車やバスなどの室内又は日常屋内外において、冷房風が冷たく感じたときに羽織ることのできる携帯用肩掛け衣服を提供することを目的とするものである。
【課題を解決するための手段】
【０００７】
上記課題を解決するために、
本考案は、長方形の布帛1を長手方向の両端の内側に鍵ホック凹2, 鍵ホック凸3を
縫着することを特徴とする。
【０００８】
その鍵ホック凹2と鍵ホック凸3を係合することにより、図3に示すように両端が筒
状になる。この筒状に腕を挿入することによって袖部を形成することを特徴とする。
【０００９】
また、本考案を二つ折にして、首に巻き、マフラーとしても使用可能である。
【考案の効果】
【００１０】
本考案によれば、鍵ホック凹2と鍵ホック凸3を係合してできる袖部に両腕を通すこ
とにより、肩掛け部が肩を覆い、冷房風や日射による直射を防止することができる。
【００１１】
また、図4,図5に示すように、鍵ホック凹2と鍵ホック凸3を係合してできる袖部に両腕を通すことにより、着用したまま動いても布帛1が肩から外れたり、ズレ落ちたりすることがなく、車内または室内においても簡便に便利に羽織ることができる。
【００１２】
さらに、本考案は、長方形の布帛1に4つの鍵ホック2,3を縫着するという簡単な構
造なため、小さく折りたたみ、別のハンドバックにも入る程度の袋体に収納することによって、携帯にも便利である。
【考案を実施するための最良の形態】
【００１３】
次に、実施するための最良の形態について図によって説明するが、本実施するための
最良の形態が限定されないことは言うまでもない。
図1は、本考案を実施するための長方形の布帛1に、その長手方向の両端の内側に
鍵ホック凹2と鍵ホック凸3を縫着した図であるが、本考案はこれで完成である。
【実施例１】
【００１４】
上記鍵ホックの代替品として、面ファスナーを使用してもいいし、ボタン穴を空け、
ボタンを取り付けてもよい。  
【実施例２】
【００１５】
本考案は、鍵ホック凹2と鍵ホック凸3を係合して長手方向の両端に図3に示すよう
な袖部を形成し、その袖部に腕を通して使用するため、本考案品が肩からズレ落ちたり
肩から外れたりすることがなくなる。
【実施例３】
【００１６】
また、マフラーとして使用する場合は、図6に示すように、本考案品を首に巻いて使
用する。
【実施例４】
【００１７】
また、本願書には記載していないが、本考案品を小さく折りたたみ、袋体に収納する
ことによって、携帯にも便利である。
【図面の簡単な説明】
【００１８】
【図１】本考案の長方形の布帛に鍵ホックを縫着した図
【図２】本考案の長方形の布帛を長手方向に二つ折りにした図
【図３】本考案の長方形の布帛を長手方向に二つ折りにした側面図
【図４】本考案を使用した前面斜視図
【図５】本考案を使用した後面斜視図
【図６】本考案を首に巻いた前面斜視図
【符号の説明】
【００１９】
１．長方形の布帛
２．鍵ホック凹
３．鍵ホック凸
【図１】
0003147480.tif 000003
【図２】
0003147480.tif 000004
【図３】
0003147480.tif 000005
【図４】
0003147480.tif 000006
【図５】
0003147480.tif 000007
【図６】
0003147480.tif 000008
【手続補正書】
【提出日】平成20年10月28日(2008.10.28)
【手続補正１】
【補正対象書類名】実用新案登録請求の範囲
【補正対象項目名】請求項２
【補正方法】変更
【補正の内容】
【請求項２】
鍵ホック凹と鍵ホック凸を係合すると、両端が筒状になり、この筒状に腕を挿入することによって袖部を形成することを特徴とする請求項1の冷房風防護衣服。
(57)【要約】      （修正有）【課題】寝たきり方が、同一姿勢で長時間寝ることによって、自身の体重による体圧が要因で、血流が妨げられ炎症を起こし、床ずれを発症する。それを防ぐような、しきパッドを提供する。【解決手段】しきパットの中央付近を丸形に切り抜いたしきパットを用い、大きく製作した、しきパッドカバー袋布を巻き込み凹形状の凹みを作り、自身の体重による体圧を凹み形状で軽減させ、体圧を徐圧することによって、血流を促し炎症を防ぐ。また、発症する特定箇所に対しては、円形状に切り取った凹みの空間にして、自身の体重による体圧を徐圧し、発症防止に役立つ構成とした。【選択図】図３
0003147478.tif 000002
【実用新案登録請求の範囲】
【請求項１】
しきパットの中心部を円型に縫い合わせて、丸形状に切り取り、パット袋詰めしたクッション材の移動を制限することによって、凹形状の凹みの空間が形成される機能を有する、穴あきしきパッド。
【考案の詳細な説明】
【考案の詳細な説明】
【技術分野】
【０００１】  この考案は、しきパット袋布を大きく作製し、袋の中心部を丸形に切取り、袋詰めされた素材の移動を制限し、巻き込むことによって、丸形に切り取った部分には凹みの空間が作られる。
これらの機能を活かした、しきパッドに関するものである。
【背景技術】
【０００２】  従来のしきパッドは、ウレタン及びビーンズ材と空気圧円座はしきパット袋に適したクッション素材が詰まっていて素材の移動が出来なかった。その為に凸形状の高さ及び凹形状の凹みを調整させる機能が皆無であった。
【考案が解決しようとする課題】
【０００３】  本考案は、その欠点をなくすために、しきパッド袋内でクッション素材を容易に移動させ、複数の凸形状を固定させることによって、丸形状に切り抜いた凹形状の凹みの空間をつくることを課題とした。
【課題を解決するための手段】
【０００４】  しきパッド袋のクッション材の量に対して、袋そのものを大きく作製し、袋詰された素材の移動を容易にし、且つ移動を制限して、複数の凸形状を作ることによって、その間には凹みの空間が形成され、その空間を活かすことが最適であることを発見した。
【考案の効果】
【０００５】  本考案は以上のような構成から、しきパッド袋の中心部を丸型に切取り、袋詰めした素材の移動を制限し、丸形状に切り取った周りには山形状が固定される。且つ、山形状の間には凹みの空間も形成される。
これらの機能をしきパットに活かし、自身の体重による体圧を山形状で支え、凹みの空間で軽減させ、体圧を均等に分散させることで、床ずれ防止につながる。
床ずれの最も大きな要因は、自身の体重による体圧が、肩、腰、肘、踵等に集中するため、血流が妨げられ、皮膚がただれて組織が壊死し、床ずれを発症する。
よって、本考案のしきパットは、凹みの空間で血流を促し炎症を防ぐ。
楽な仰向きの姿勢で長時間寝られ、日に何度か凹みの調整を行えば、床ずれの予防と炎症を防ぐ事が可能になった。
【図面の簡単な説明】
0003147478.tif 000003
0003147478.tif 000004
【手続補正書】
【提出日】平成20年10月28日(2008.10.28)
【手続補正１】
【補正対象書類名】明細書
【補正対象項目名】０００６
【補正方法】変更
【補正の内容】
【０００６】
【図１】      穴あきしきパット斜視図
【図２】      穴あきしきパット断面図
【図３】      穴あきしきパット使用断面図
【手続補正２】
【補正対象書類名】図面
【補正対象項目名】全図
【補正方法】変更
【補正の内容】
【図１】
0003147478.tif 000005
【図２】
0003147478.tif 000006
【図３】
0003147478.tif 000007
(57)【要約】      （修正有）【課題】スイッチとスイッチに連結導通される部品とを簡単な弾性部材を介して接触連通させることで、製造コストの削減や、安全性と省エネ及び環境保護の目的を達成できるスイッチと部品の連結構造を提供する。【解決手段】スイッチ１とスイッチ１に連結される部品２とからなるスイッチ１と部品２の連結構造において、スイッチ１とスイッチ１に連結される部品２とは弾性導体３を介して連結導通されている。弾性部材の接触連通構造を採用することで、溶接、リベット締め、およびソケット連結の複雑構造を省き、製品の品質と信頼性を確保するとともに、製品の製造コストを削減し、製品の製造過程において省エネと環境保護を実現できる。【選択図】図１
0003147471.tif 000002
【実用新案登録請求の範囲】
【請求項１】
スイッチとスイッチに連結される部品とからなるスイッチと部品の連結構造において、前記スイッチとスイッチに連結される部品とは弾性導体を介して連結導通されていることを特徴とするスイッチと部品の連結構造。
【請求項２】
請求項１に記載のスイッチと部品の連結構造において、前記弾性導体とスイッチとは一体構造であることを特徴とするスイッチと部品の連結構造。
【請求項３】
請求項１に記載のスイッチと部品の連結構造において、前記弾性導体とスイッチに連結される部品とは一体構造であることを特徴とするスイッチと部品の連結構造。
【請求項４】
請求項１に記載のスイッチと部品の連結構造において、前記弾性導体はばね構造であることを特徴とするスイッチと部品の連結構造。
【請求項５】
請求項１に記載のスイッチと部品の連結構造において、前記弾性導体はばね片構造であることを特徴とするスイッチと部品の連結構造。
【請求項６】
請求項１に記載のスイッチと部品の連結構造において、前記弾性導体は弾性針構造であることを特徴とするスイッチと部品の連結構造。
【考案の詳細な説明】
【技術分野】
【０００１】
本考案はスイッチに関し、特にスイッチとスイッチに連結導通される部品の連結構造に関する。
【背景技術】
【０００２】
従来のスイッチとスイッチに連結導通される部品の連結構造は通常溶接、リベット締め、およびソケットなどの連結方法を採用している。大電流（アンペア級以上）の連結の場合従来の連結方法は安全であるが、スイッチの指示ランプの連結に応用される場合、通常の民間用の普通のスイッチの指示ランプはＬＥＤまたは小さいネオンランプで、使用電流はミリアンペア級であり、正常に接触するだけで製品の要求を満足することができる。そのため、従来の溶接、リベット締め、およびソケットなどの連結構造を採用すると、材料の無駄や製造工程の複雑などの欠点がある。
【考案の開示】
【考案が解決しようとする課題】
【０００３】
本考案は、スイッチとスイッチに連結導通される部品とを簡単な弾性部材を介して接触連通させることで、製造コストの削減や、安全性と省エネ及び環境保護の目的を達成できるスイッチと部品の連結構造を提供する。
【課題を解決するための手段】
【０００４】
上記の課題を解決するために、本考案は次のような技術案を採用する。スイッチとスイッチに連結される部品とからなるスイッチと部品の連結構造において、前記スイッチとスイッチに連結される部品とは弾性導体を介して連結導通されている。
前記弾性導体とスイッチとは一体構造である。
前記弾性導体とスイッチに連結される部品とは一体構造である。
前記弾性導体はばね構造である。
前記弾性導体はばね片構造である。
前記弾性導体は弾性針構造である。
【考案の効果】
【０００５】
本考案は従来技術に比べて、弾性部材の接触連通構造を採用することで、溶接、リベット締め、およびソケット連結の複雑構造を省き、製品の品質と信頼性を確保するとともに、製品の製造コストを削減し、製品の製造過程において省エネと環境保護を実現できる。
【０００６】
上記した本考案の目的および利点並びに他の目的および利点は、以下の実施の形態の説明を通じてより明確に理解される。もっとも、以下に記述する実施の形態は例示であって、本考案はこれらに限定されるものではない。
【考案を実施するための最良の形態】
【０００７】
以下図面を参照しながら本考案について更なる説明をする。
図１に示すように、本考案はスイッチ１と、スイッチに連結される部品２とからなり、前記スイッチとスイッチに連結される部品とは弾性導体３を介して連結導通される。構造を簡単にするために、前記弾性導体３とスイッチ１とは一体構造に製造してもよいし、または前記弾性導体３をスイッチに連結される部品２と一体構造に製造してもよい。必要に応じて本考案の前記弾性導体は、ばね構造、ばね片構造または弾性針構造を採用することができる。
【産業上の利用可能性】
【０００８】
本考案は、構造が簡単で、製造コストが安く、信頼性が高いので、ミリアンペア級の民間用の指示ランプの連結などのスイッチ連結に適用する。
【図面の簡単な説明】
【０００９】
【図１】本考案の構造を示す略図である。
【符号の説明】
【００１０】
１  スイッチ
２  部品
３  弾性導体
【図１】
0003147471.tif 000003
【手続補正書】
【提出日】平成20年10月24日(2008.10.24)
【手続補正１】
【補正対象書類名】実用新案登録請求の範囲
【補正対象項目名】全文
【補正方法】変更
【補正の内容】
【実用新案登録請求の範囲】
【請求項１】
スイッチとスイッチに連結される部品とからなるスイッチと部品の連結構造において、前記スイッチと前記スイッチに連結される部品とは、前記スイッチの導電部と前記スイッチに連結される部品の導電部に接触する弾性導体部材を介して連結導通されていることを特徴とするスイッチと部品の連結構造。
【請求項２】
請求項１に記載のスイッチと部品の連結構造において、前記弾性導体部材と前記スイッチの導電部とは一体構造であることを特徴とするスイッチと部品の連結構造。
【請求項３】
請求項１に記載のスイッチと部品の連結構造において、前記弾性導体部材と前記スイッチに連結される部品の導電部とは一体構造であることを特徴とするスイッチと部品の連結構造。
【請求項４】
請求項１に記載のスイッチと部品の連結構造において、前記弾性導体部材はばね構造であることを特徴とするスイッチと部品の連結構造。
【請求項５】
請求項１に記載のスイッチと部品の連結構造において、前記弾性導体部材はばね片構造であることを特徴とするスイッチと部品の連結構造。
【請求項６】
請求項１に記載のスイッチと部品の連結構造において、前記弾性導体部材は弾性針構造であることを特徴とするスイッチと部品の連結構造。
(57)【要約】      （修正有）【課題】支柱への幟の止め箇所を変えることで、左右どちらからの風向きでも、立ち並んだ半数の幟が表側面から見えるようにした宣伝用幟セットを提供する。【解決手段】幟２枚を一組にして１枚の止め箇所をもう１枚の反対側に設置した。又上部下部を、夫々表、裏にして連設することによって風向きが左右のどちらであっても上部下部何れかが表側面から見ることができるようにした。【選択図】図２
0003147475.tif 000002
【実用新案登録請求の範囲】
【請求項１】
Ａ：表側面に文字又は図柄が印刷された薄手の生地により構成された幟生地と、前記幟生地の表側面に対して長手方向の一方の側の辺に設けられた，右側止め環とを備えた，右止め幟と，
Ｂ：表側面に文字又は図柄が印刷された薄手の生地により構成された幟生地と、前記幟生地の表側面に対して長手方向の他方の側の辺に設けられた，左側止め環とを備えた、左止め幟とを有する宣伝用幟セット。
【請求項２】
前記，右止め幟及び前記，左止め幟は夫々前記幟生地の上側の辺に，上側止め環を備えている事を特徴とする請求項１記載の宣伝用幟セット。
【請求項３】
前記，右止め幟及び前記，左止め幟は何れか一方が上で他方が下となり，且つ前記，右側止め環及び前記，左側止め環が同じ側となるように上下にに連設され、各止め環が同一の支柱に取り付けられる事を特徴とする請求項１記載の宣伝用幟セット。
【考案の詳細な説明】
【技術分野】
【０００１】  本考案は宣伝用幟セットに関するものである。
【背景技術】
【０００２】  従来の宣伝用織は支柱への止め環が同じ方向に付いていた。
特許文献１に記載の幟は，２枚の生地を表と裏に貼り合わせ夫々の表面に宣伝用の文字を表示したものである。【０００３】  特許文献１    特開２００１−３３１１３６号公報
【考案が解決しようとする課題】
【０００４】  パチンコ店、大型店舗等で同じ文面の幟が複数立ち並んでいる光景を目にする。幟の支柱への止め環が同じ方向となっている為、風向きによっては複数の全部の幟が裏側面からしか見る事が出来ず、判読が困難な事があった。その為宣伝の効果は不十分であった。
そこでこの問題を解決する為に特許文献１に示される様な考案がなされたが、一つの幟に２枚の生地が必要であり夫々に化学的な加工がなされる為コストがかかり過ぎるきらいが有る。
そこで本考案の目的は上記従来の問題を解決するものであり、低コストで出来、左右どちらからの風が吹いても半数の幟が表側面から見える様にした。
【課題を解決するための手段】
【０００５】  本考案は２枚を一組として１枚の長手方向の一方の止め環を、もう１枚の反対側に設置した。
【０００６】  本考案は１枚の幟生地の中央から上部、下部に分け夫々に同じ文字図柄を印刷したものを中央部で切断し、右止め幟及び、左止め幟を上下に連設させた。
【考案の効果】
【０００７】    本考案では、風向きが左右のどちらからであっても複数掲げられている幟の半数が表側面から見る事が出来る。
【０００８】  本考案については風向きが左右のどちらであっても上部下部何れかが表側面から見ることができる。
【考案を実施するための最良の形態】
【０００９】  本考案に係る幟は図１に示す様に（ａ）（ｂ）を一組として（ｂ）の幟の支柱への止め環を（ａ）と反対側に設置したものである。
従ってこの（ａ）（ｂ）の幟を隣同士に設置すれば左右、どちらの風が吹いても図２の様に（ａ）か（ｂ）が表側面から見えることになる。【００１０】  本考案に係る幟は、図３に示す様に上部下部を夫々表側面、裏側面にして連設し支柱に設置すれば、左右どちらの風が吹いても上部下部のどちらかが表側面を見ることができる。
【図面の簡単な説明】
【００１１】
【図１】  本考案に係る幟の止め環を表わした平面図。
【図２】  図１の幟を支柱に取り付け右から風を受けている（ａ）（ｂ）一組の幟。
【図３】  上部下部を表側と裏側にして連設し支柱に設置した幟。
【符号の説明】
【００１２】１、幟の表側面
２、幟の裏側面
３、横側止め環
４、上側止め環
５、支柱
６、上部と下部の連設部分
【図１】
0003147475.tif 000003
【図２】
0003147475.tif 000004
【図３】
0003147475.tif 000005
(57)【要約】      （修正有）【課題】歯磨きチューブの中身をほぼ完全に絞り出す道具を提供する。【解決手段】四角形な板の表面中央部に長方形の穴を裏面まで切り抜き、この長方形の穴の中に図面符号２のローラを挿入する。次に長方形の両短辺にローラを固定するため穴をあける。台板１それからローラ２と軸３を通してローラ２が回転するようにした。歯磨きチューブ４は３回か４回使用すると底部が板の状態になってくるので、この板状態の端部を台板１の穴とローラ２の隙間に差し込み表面から裏面まで出す。裏面に出た端部を折り返して反対側の台板１とローラ２の隙間に差し込み表面に端部を出す。チューブの端部を引っ張ることで中身は完全に出て無駄がなくなり保管上も綺麗になる。【選択図】図１
0003147460.tif 000002
【実用新案登録請求の範囲】
角板のやや中央部に表面から裏面まで長方形の穴を切り抜くその穴の中に円筒形のローラを穴の長辺に添って入れる
ローラが回転出来るように軸を穴の短辺からローラから短辺と通す
これでローラと穴の隙間でチューブを巻き込むことができる
【考案の詳細な説明】
本考案はチューブの中身を押し出すための固定具であります
四角形な板の表面中央部に長方形の穴を裏面まで切り抜きます
この長方形の穴の中に図面符号２のローラを挿入します
長方形の両短辺にローラを固定するため穴をあける
図面符号１の台板それから図面符号２のローラと図面符号４軸を通してローラが回転するようにした
歯磨きチューブは３回か４回使用すると底部が板の状態なってくる
この板状態の端部を台板の穴とローラの隙間に差し込み表面から裏面までだします
裏面に出た端部を折り返して反対側の台板とローラの隙間に差し込み表面に端部を出す
チューブの端部を引っ張ることで中身は完全に出て無駄がなくなり保管上も綺麗になり便利です
【図面の簡単な説明】図面１      断面図
図面２      平面図
符号１      台板
符号２      ローラ
符号３      軸
符号４      チューブ
【図１】
0003147460.tif 000003
【図２】
0003147460.tif 000004
【手続補正書】
【提出日】平成20年9月25日(2008.9.25)
【手続補正１】
【補正対象書類名】実用新案登録請求の範囲
【補正対象項目名】全文
【補正方法】変更
【補正の内容】
【実用新案登録請求の範囲】
【請求項１】
四角板の表面のやや中央部に長方形の穴を裏面まで切抜き穴の中に長編に添ってローラをいれローラが回転するように軸を通した歯磨きチューブ押し出し固定具
【手続補正２】
【補正対象書類名】明細書
【補正対象項目名】全文
【補正方法】変更
【補正の内容】
【考案の詳細な説明】
【考案の詳細な説明】
【技術分野】
【０００１】本考案はチューブの中身を押し出すための固定具であります
【背景技術】
【本案を実施するための最良の形態】
【０００２】四角形な板の表面中央部に穴を裏面まで切り抜きます
【０００３】この長方形の穴の中に図面符号２のローラを挿入します
【０００４】長方形の両短辺にローラを固定するため穴をあける
【０００５】図面符号１の台板それから図面符号２のローラと図面符号４軸を通してローラが回転するようにした
【０００６】歯磨きチューブは３回か４回使用すると底部が板の状態になってくる
【０００７】この板状態の端部を台板の穴とローラの隙間に差し込み表面から裏面までだします
【０００８】裏面に出た端部を折り返して反対側の台板とローラの隙間に差し込み表面に端部を出す
【考案の効果】
【０００９】チーブの端部を引っ張ることで中身は完全に出て無駄がなくなり保管上も綺麗になり便利です
【図面の簡単な説明】
【００１０】
【図１】断面図
【図２】平面図
【符号の説明】
【００１１】１      台板
２      ローラ
３      軸
４      チューブ
(57)【要約】      （修正有）【課題】人間の就寝中に発生する地震災害に因る、木造家屋倒壊被害等から人体の生命、怪我等保護維持に、確実な機具を提供する。【解決手段】金属構造材にて、組み上げた、合成樹脂製の遮蔽板を上部覆いとした、上部鋭角ピラミッド形状保護機具は確実に木材等の落下物から人体を保護出来且つ避難の時間的猶予をもたせる。通常屋根型天蓋付き、ベット様の形体で使用出来、地震災害時に倒壊圧から人体を保護し、その他非常時の備品等も装備可能である。【選択図】図１
0003147455.tif 000002
【実用新案登録請求の範囲】
【請求項１】
金属（１）合成樹脂（２）木材（３）を用い溶接（４）及びボルト（５）ナット（６）で組み上げたピラミッド形状の上部構造を有し、三角柱状の、骨組み構造の屋内避難機具
【考案の詳細な説明】
【技術分野】
【００１】本考案は屋内滞在中、特に就寝中等に発生する、地震に対応する、為寝具を避難機具の内部設置する事が出来る、機具である。
【技術背景】
【００２】従来は家屋本体の補強或いは、携帯避難具、の対策であった。
【考案が解決しようとする課題】
【００３】従来は屋内滞在中に発生する地震に対し屋外に退避行動を行う、事が対策で、就寝中に発生した地震に対策は無く、木造家屋での人的被害は甚大であった。
本考案は地震に因る木造家屋の倒壊圧力に、耐え得る形状構造を、基本構造とした、機具である。
【課題を解決する為の手段】
【００４】木造家屋倒壊時にピラミッド形状鋭角形状部で寝具上部を蓋い、寝具を敷く寝台、の剛性で蓋い部分の負荷を受け止める、又鋭角保護屋根部で木材等を破砕し圧力の分散を図る構造である
【考案の効果】
【００５】通常屋根型天蓋付き、ベット様の形体で使用出来地震災害時に倒壊圧から人体を保護しその他非常時の備品等も装備可能である
【考案を製造実施する為の最良の形態】
【００６】屋内避難具の完成外観形態は三角柱形状で横に置いた状態で使用製造実施に際しては、直線形状素材の組み合わせで完成する、事が出来る。
【図面の簡単な説明】
【００７】
【図１】本考案の構成素材全体図である。
【符号の説明】
【００８】１  金属材
２  合成樹脂
３  木材
４  溶接
５  ボルト
６  ナット
【図１】
0003147455.tif 000003
【図２】
0003147455.tif 000004
【手続補正書】
【提出日】平成20年10月30日(2008.10.30)
【手続補正１】
【補正対象書類名】明細書
【補正対象項目名】００７
【補正方法】変更
【補正の内容】
【００７】
【図１】本考案の構成素材全体図である。
【図２】本考案の構成素材の上方部分を開けた状態の図である。